(57)【要約】【課題】  大きな力を必要とせず、かつ正確な規制位置に規制部材を移動させることのできるシート給送装置及びこれを備えた画像形成装置並びに画像読取装置を提供する。【解決手段】  複数のサイズのシートが積載可能なシート積載手段２６に、シート積載手段２６に積載されたシートのシート給送方向と直交する幅方向の位置を規制する規制部材２７，２８を幅方向に移動可能に設け、制御手段は、規制部材２７，２８を幅方向に移動させる駆動手段３１を制御し、規制部材２７，２８をシートのサイズに応じた規制位置に移動させる。【選択図】      図４
2005170609.tif 000002
【特許請求の範囲】
【請求項１】
複数のサイズのシートが積載可能なシート積載手段に積載されたシートを給送するシート給送装置において、
前記シート積載手段に、シート給送方向と直交する幅方向に移動可能に設けられ、該シート積載手段に積載されたシートの幅方向の位置を規制する規制部材と、
前記規制部材を幅方向に移動させる駆動手段と、
前記シートのサイズに応じた規制位置に前記規制部材を移動するよう前記駆動手段を制御する制御手段と、
を備えたことを特徴とするシート給送装置。
【請求項２】
前記シート積載手段に積載されるシートのサイズ情報を入力する入力手段を備え、
前記制御手段は、前記入力手段で入力された前記シートのサイズ情報に応じて前記シートの幅方向の位置を規制する規制位置に前記規制部材を移動するよう前記駆動手段を制御することを特徴とする請求項１記載のシート給送装置。
【請求項３】
前記制御手段は、前記シートを給送する際、前記規制部材を前記シートのサイズに応じた規制位置に保持するよう制御することを特徴とする請求項１又は２記載のシート給送装置。
【請求項４】
前記制御手段は、予め検知された前記シート積載手段に積載されるシートのうち最大サイズのシートの規制位置と最小サイズのシートの規制位置との距離と、前記入力手段から入力される前記シートのサイズ情報とに基づいて前記規制部材の移動量を決定することを特徴とする請求項２又は３記載のシート給送装置。
【請求項５】
前記駆動手段はパルスモータであり、前記制御手段は前記決定された規制部材の移動量に応じたパルス数で前記パルスモータを駆動して前記規制部材を移動させることを特徴とする請求項１乃至４の何れか１項に記載のシート給送装置。
【請求項６】
前記駆動手段はモータであり、前記制御手段は前記決定された規制部材の移動量に応じた回転回数だけ前記モータを回転させて前記規制部材を移動させることを特徴とする請求項１乃至４の何れか１項に記載のシート給送装置。
【請求項７】
前記制御手段は、前記シート積載手段にシートを積載する前は、前記規制部材を前記シート積載手段に積載される最大幅のシートの積載を妨げない位置まで移動するよう制御することを特徴とする請求項１乃至６の何れか１項に記載のシート給送装置。
【請求項８】
前記規制部材の移動方向を指定する指定手段と、
前記規制部材に設けられ、前記シートを検知する検知手段と、
を備え、
前記制御手段は、前記指定手段で指定された方向に前記規制部材を移動させ、前記検知手段が前記シートを検知すると、前記規制部材を停止させるよう前記駆動手段を制御することを特徴とする請求項１記載のシート給送装置。
【請求項９】
前記制御手段は、前記シートを給送する際、前記規制部材を前記検知手段が前記シートを検知した位置に保持するよう制御することを特徴とする請求項８記載のシート給送装置。
【請求項１０】
画像形成部と、前記画像形成部にシートを給送する前記請求項１乃至９の何れか１項に記載のシート給送装置とを備えたことを特徴とする画像形成装置。
【請求項１１】
画像読取部と、前記画像読取部にシートを搬送する前記請求項１乃至９の何れか１項に記載のシート給送装置とを備えたことを特徴とする画像読取装置。
【発明の詳細な説明】
【技術分野】
【０００１】
本発明は、シート給送装置及びこれを備えた画像形成装置並びに画像読取装置に関し、特にシート積載手段に積載されたシートの幅方向の位置を規制する規制部材の構成に関する。
【背景技術】
【０００２】
従来の複写機、ファクシミリ等の画像形成装置、或はスキャナ等の画像読取装置においては、シート載置台に載置されたシートを１枚ずつ順次送り出した後、画像形成部又は画像読取部に給送するシート給送装置を備えている。
【０００３】
ここで、例えば画像読取装置に設けられ、シートである原稿を画像読取部に給送するシート給送装置の一例である自動原稿給送装置（ＡＤＦ）においては、原稿載置台に原稿給送方向と直交する方向である幅方向に移動可能な規制部材を設け、この規制部材により原稿載置台に載置された原稿の幅方向の位置を規制するようにしている（特許文献１参照）。
【０００４】
図１１は、このような従来の規制部材の構成を示す図であり、同図に示すように、規制部材４０１，４０２は、幅方向に移動可能な本体部４０１ａ，４０２ａと、この本体部４０１ａ，４０２ａの一端に対向してそれぞれ垂設され、原稿と当接して原稿の幅方向の位置を規制する当接部４０１ｂ，４０２ｂとを備えている。なお、本体部４０１ａ，４０２ａには、ピニオンギア４０３と噛合するラック４０１ｃ，４０２ｃがそれぞれ形成されており、原稿を原稿台４０４にセットする際、この規制部材４０１，４０２を原稿の横幅に応じた位置に手で移動させ、その後に、原稿を規制部材４０１，４０２の間にセットするようにしていた。
【０００５】
【特許文献１】特開平０５−０２４６６１号公報
【発明の開示】
【発明が解決しようとする課題】
【０００６】
ところで、このような従来の自動原稿給送装置（シート給送装置）において、原稿給送中は、原稿が斜行しないよう規制部材４０１，４０２により原稿の横方向の移動を規制するようにしているため、規制部材４０１，４０２は斜行しようとする原稿により幅方向の力が加わっても幅方向に移動しないように構成されている。このため、原稿をセットする際、規制部材４０１，４０２を移動させるのには、ある程度大きな力が必要となる。
【０００７】
また、原稿をセットする際、例えば規制部材４０１，４０２を原稿幅よりも広めの位置に停止させると、給送時、原稿の幅方向の移動を規制することができず、原稿が斜行してしまうことから、規制部材４０１，４０２を正確な位置に停止させる必要がある。
【０００８】
しかし、このように規制部材４０１，４０２を移動する際、ある程度大きな力が必要で、かつ正確な位置に停止させることが求められる場合、特に握力の無い人や、手が震えてしまう等のハンディキャップを持ったユーザにとっては、正確な規制位置に規制部材４０１，４０２を移動させるのは困難である。
【０００９】
そこで、本発明は、このような現状に鑑みてなされたものであり、大きな力を必要とせず、かつ正確な規制位置に規制部材を移動させることのできるシート給送装置及びこれを備えた画像形成装置並びに画像読取装置を提供することを目的とするものである。
【課題を解決するための手段】
【００１０】
本発明は、複数のサイズのシートが積載可能なシート積載手段に積載されたシートを給送するシート給送装置において、前記シート積載手段に、シート給送方向と直交する幅方向に移動可能に設けられ、該シート積載手段に積載されたシートの幅方向の位置を規制する規制部材と、前記規制部材を幅方向に移動させる駆動手段と、前記シートのサイズに応じた規制位置に前記規制部材を移動するよう前記駆動手段を制御する制御手段と、を備えたことを特徴とするものである。
【００１１】
また本発明は、前記シート積載手段に積載されるシートのサイズ情報を入力する入力手段を備え、前記制御手段は、前記入力手段で入力された前記シートのサイズ情報に応じて前記シートの幅方向の位置を規制する規制位置に前記規制部材を移動するよう前記駆動手段を制御することを特徴とするものである。
【００１２】
また本発明は、前記制御手段は、前記シートを給送する際、前記規制部材を前記シートのサイズに応じた規制位置に保持するよう制御することを特徴とするものである。
【００１３】
また本発明は、前記制御手段は、予め検知された前記シート積載手段に積載されるシートのうち最大サイズのシートの規制位置と最小サイズのシートの規制位置との距離と、前記入力手段から入力される前記シートのサイズ情報とに基づいて前記規制部材の移動量を決定することを特徴とするものである。
【００１４】
また本発明は、前記駆動手段はパルスモータであり、前記制御手段は前記決定された規制部材の移動量に応じたパルス数で前記パルスモータを駆動して前記規制部材を移動させることを特徴とするものである。
【００１５】
前記駆動手段はモータであり、前記制御手段は前記決定された規制部材の移動量に応じた回転回数だけ前記モータを回転させて前記規制部材を移動させることを特徴とするものである。
【００１６】
また本発明は、前記制御手段は、前記シート積載手段にシートを積載する前は、前記規制部材を前記シート積載手段に積載される最大幅のシートの積載を妨げない位置まで移動するよう制御することを特徴とするものである。
【００１７】
また本発明は、前記規制部材の移動方向を指定する指定手段と、前記規制部材に設けられ、前記シートを検知する検知手段と、を備え、前記制御手段は、前記指定手段で指定された方向に前記規制部材を移動させ、前記検知手段が前記シートを検知すると、前記規制部材を停止させるよう前記駆動手段を制御することを特徴とするものである。
【００１８】
また本発明は、前記制御手段は、前記シートを給送する際、前記規制部材を前記検知手段が前記シートを検知した位置に保持するよう制御することを特徴とするものである。
【００１９】
また本発明は、画像形成装置において、画像形成部と、前記画像形成部にシートを給送する上記の何れかに記載のシート給送装置とを備えたことを特徴とするものである。
【００２０】
また本発明は、画像読取装置において、画像読取部と、前記画像読取部にシートを搬送する上記の何れかに記載のシート給送装置とを備えたことを特徴とするものである。
【発明の効果】
【００２１】
本発明によれば、駆動手段により、シート積載手段に積載されたシートの幅方向の移動を規制する規制部材を移動させるので、規制部材をシートのサイズに応じた規制位置に大きな力を必要とせず、かつ正確に移動させることができる。
【発明を実施するための最良の形態】
【００２２】
以下、本発明を実施するための最良の形態を、図面を用いて詳細に説明する。
【００２３】
図１は、本発明の第１の実施の形態に係るシート給送装置の一例である自動原稿給送装置（ＡＤＦ）を備えたＭＦＰ（マルチ・ファンクション・プリンタ）の概略を示す図である。
【００２４】
同図において、１はＭＦＰ、１ＡはＭＦＰ本体であり、このＭＦＰ本体１Ａの内部には画像形成部（画像形成装置）１Ｂが設けられている。また、２はＭＦＰ本体上部に配置されている画像読取装置、３は操作パネルであり、この操作パネル３は画像読取装置２の前面に配置されている。
【００２５】
ここで、画像読取装置２は、原稿台ガラスに積載された原稿の画像情報を順次読み取るフラットベットモードと、原稿を搬送して原稿の画像情報を読み取るシートスルーモードの２つの読取モードを有している。
【００２６】
図２は、このようなフラットベットモードと、シートスルーモードにより原稿画像を読み取る画像読取装置２の構成を示す図であり、同図において、２１は原稿の画像情報を読み取る光学系ユニットである。そして、この光学系ユニット２１は、レール２２上を不図示のモータによって矢印Ａ方向に移動可能に構成されている。
【００２７】
２０はシートスルーモードの際、原稿Ｇを搬送する自動原稿給送装置であり、この自動原稿給送装置２０は、原稿Ｇを載置する原稿載置台２６と、原稿載置台２６に載置された原稿Ｇを搬送する搬送ローラ２３とを備えている。なお、４は自動原稿給送装置２０の原稿給送動作及び後述する原稿の幅方向位置規制動作を制御する制御手段である制御部である。
【００２８】
そして、このような構成の画像読取装置２において、フラットベットモードによる画像読取時には、光学系ユニット２１は矢印Ａの方向に移動しながら、原稿台ガラス２５に積載された原稿表面の画像情報を順次読み取り、原稿表面の２次元画像情報を得るようにしている。
【００２９】
また、シートスルーモードによる画像読取時には、光学系ユニット２１は同図に示す位置に固定されて、原稿載置台２６に載置された後、搬送ローラ２３によって搬送される原稿Ｇを、原稿台ガラス２５を通して読み取るようにしている。なお、このシートスルーモードにおいて、原稿Ｇは原稿読み取り位置を通過した後、排紙ローラ２４によって矢印の方向に排出され、排紙トレイ２９に積載されるようになっている。
【００３０】
ところで、２７、２８は原稿載置台２６に設けられ、原稿載置台２６に載置された原稿Ｇの原稿給送方向と直交する方向である幅方向の端部（以下、側端部という）の位置を規制する規制部材である原稿ガイドであり、この原稿ガイド２７，２８は、図３に示すように原稿載置台上を幅方向に移動可能に設けられている。
【００３１】
ここで、この原稿ガイド２７，２８は、図４に示すように幅方向に移動可能な本体部２７ａ，２８ａと、この本体部２７ａ，２８ａの一端に対向してそれぞれ垂設され、原稿と当接して原稿の幅方向の移動を規制する当接部２７ｂ，２８ｂとを備えている。なお、本体部２７ａ，２８ａには、ピニオンギア３０と噛合するラック２７ｃ，２８ｃがそれぞれ形成されている。
【００３２】
３１はピニオンギア３０を駆動し、原稿ガイド２７，２８を移動させる移動手段である正逆転可能なモータであり、このモータ３１を回転させてピニオンギア３０を回転させると、このピニオンギア３０の回転がラック２７ｃ，２８ｃに伝達され、原稿ガイド２７，２８はそれぞれ反対方向、即ち当接部２７ｂ，２８ｂの間隔を広げる方向、或は間隔を狭める方向に移動するようになっている。
【００３３】
なお、同図において、４０５は一方の原稿ガイド２７に設けられたフラグ、４０６は原稿ガイド２７がＡ３サイズの原稿の側端部の位置を規制する位置に移動したときフラグ４０５を検知する位置に配置された第１透過センサ、４０７は原稿ガイド２７がＢ５Ｒサイズの原稿の側端部の位置を規制する位置に移動したときフラグ４０５を検知する位置に配置された第２透過センサである。
【００３４】
図５は、操作パネル３の概略図であり、同図に示すように操作パネル３はＬＣＤ表示部３０１を備えており、ＬＣＤ上に設置された透明なタッチパネルによりタッチ情報を得ることができるようになっている。
【００３５】
なお、同図において、３０２は原稿ガイド２７，２８の位置を示す表示であり、現在原稿ガイド２７，２８はＡ３サイズの原稿の側端位置を規制する位置にあることを示している。３０３は定型サイズの原稿を選択する定型サイズ選択スイッチであり、この定型サイズ選択スイッチ３０３に触れることにより、原稿ガイド２７，２８をＢ５Ｒ、Ａ４Ｒ／Ａ５、Ｂ５／Ｂ４、Ａ４／Ａ３の４つの定型サイズの原稿の位置を規制する位置に移動させることができるようになっている。
【００３６】
３０４、３０５は不定形サイズの原稿を読み取る場合に、原稿ガイド２７の移動方向を直接指示するためのスイッチであり、例えば上向きの矢印が描かれたスイッチ３０５に触れると、原稿ガイド２７，２８は当接部２７ｂ，２８ｂの間隔が狭まる方向（以下、近接方向という）に、下向きの矢印が描かれたスイッチ３０４に触れると原稿ガイド２７，２８は当接部２７ｂ，２８ｂの間隔が広がる方向（以下、離間方向という）に移動するようになっている。
【００３７】
次に、このように構成された自動原稿給送装置２０における原稿の幅方向位置規制動作について説明する。
【００３８】
電源がＯＮされると、制御部４（図２参照）はイニシャル動作を開始する。ここで、このイニシャル動作において、制御部４は、まずモータ３１を駆動（正転）して原稿ガイド２７，２８を離間方向にそれぞれ移動させ、第１透過センサ４０６が原稿ガイド２７に設けられたフラグ４０５を検知したところで停止させる。次に、モータ３１を逆転して原稿ガイド２７，２８を近接方向にそれぞれ移動させ、第２透過センサ４０７が原稿ガイド２７に設けられたフラグ４０５を検知したところで停止させる。
【００３９】
そして、制御部４は、このように第１透過センサ４０６がフラグ４０５を検知してから第２透過センサ４０７がフラグ４０５を検知するまでに要したモータ４０４の駆動パルス数を計数し、これを不図示の記憶部に記憶する。
【００４０】
即ち、原稿ガイド２７，２８を定型サイズの原稿のうち最大幅のＡ３サイズの原稿の側端を規制する位置から定型サイズの原稿のうち最小幅のＢ５Ｒサイズの原稿の側端を規制する位置まで移動させるまでに要したモータ４０４の駆動パルス数を記憶する。
【００４１】
この後、モータ３１を再び正回転駆動し、定型サイズの原稿のうち最大幅のＡ３サイズの原稿の側端を規制する位置である第１透過センサ４０６がフラグ４０５を検知する位置まで移動し、この位置で原稿ガイド２７，２８を待機させる。
【００４２】
そして、このようなイニシャル動作が終了した後、操作パネル３によりシートスルーモードでの読取が指定されると、操作パネル３のＬＣＤ表示部３０１には図５に示す内容が表示される。なお、同図において、原稿ガイド２７，２８の位置を示す表示３０２は、現在原稿ガイド２７，２８が、図３に示すようにＡ３サイズの原稿を規制する位置にあることを示している。また、図３において、２６ａは原稿載置台２６に設けられ、原稿ガイド２７，２８（の当接部２７ｂ，２８ｂ）の幅方向を可能とするための開口部である。
【００４３】
ここで、この状態で例えばＢ５サイズの原稿を自動原稿給送装置２０にセットする場合は、図５に示す原稿Ｇのサイズ情報を入力する入力手段である定型サイズ選択スイッチ３０３のうちＢ５／Ｂ４スイッチ３０３ｂに触れるようにする。そして、このＢ５／Ｂ４スイッチ３０３ｂに触れると、制御部４はモータ３１を逆転させ、これにより原稿ガイド２７，２８は近接方向に移動する。
【００４４】
さらに、制御部４は、先に記憶した原稿ガイド２７，２８を最大幅のＡ３サイズの原稿の側端を規制する位置から最小幅のＢ５Ｒサイズの原稿の側端を規制する位置まで移動させるまでに要したモータ３１の駆動パルス数と、定型サイズ選択スイッチ３０３により入力されたサイズ情報としてのＢ５サイズの原稿の幅方向の長さとから、原稿ガイド２７，２８をＢ５サイズの原稿の側端位置を規制する位置まで移動させるのに要するパルス数を計算し、そのパルス数だけモータ３１を駆動した後、停止させる。
【００４５】
これにより、原稿ガイド２７，２８はＢ５サイズの原稿の側端位置を規制する位置に移動した後、停止する。なお、このように原稿ガイド２７，２８がＢ５サイズの原稿の側端位置を規制する位置に移動すると、操作パネル３のＬＣＤ表示部３０１の表示３０２は、図６に示すように、原稿ガイド２７，２８がＢ５サイズの原稿の側端位置を規制するＢ５／Ｂ４位置にセットされたことを示す状態に変わる。
【００４６】
そして、このように原稿ガイド２７，２８がＢ５／Ｂ４位置にセットされた後、図７に示すように原稿ガイド２７に原稿Ｇをセットし、この後、図６に示すスタートキー３１０を押下すると、搬送ローラ２３によって原稿Ｇが搬送され、原稿画像の読み取りが開始される。なお、このように原稿Ｇが搬送される際、原稿ガイド２７，２８はＢ５サイズの原稿の側端位置を規制する位置で停止（固定）されているので、原稿Ｇにより幅方向の力が加わっても幅方向に移動することはない。
【００４７】
このように、原稿載置台２６に原稿ガイド２７，２８を幅方向に移動可能に設け、この原稿ガイド２７，２８をモータ３１により原稿Ｇのサイズに応じた規制位置に移動させるようにすることにより、原稿ガイド２７，２８を原稿Ｇのサイズに応じた規制位置に大きな力を必要とせず、かつ正確に移動させることができる。これにより、握力の無い人や、手が震えてしまうハンディキャップを持ったユーザにおいても容易に原稿ガイド２７，２８を移動することができ、原稿Ｇをセットすることができる。
【００４８】
次に、本発明の第２の実施の形態について説明する。
【００４９】
図８は、本実施の形態に係る自動原稿給送装置における原稿ガイドの構成を示す図である。なお、同図において、図４と同一符号は同一又は相当部分を示している。
【００５０】
同図において、４０８は、ピニオンギア３０の軸３０ａに設けられたポテンショメータであり、このポテンショメータ４０８はピニオンギア４０３の回転回数を抵抗値の変化として検知するものである。
【００５１】
そして、このポテンショメータ４０８の出力は、制御部４に入力されるようになっている。ここで、本実施の形態において、この制御部４には、原稿ガイド２７，２８をＡ３サイズにあわせた時のピニオンギア４０３の回転回数に対応した抵抗値と、原稿ガイド２７，２８をＢ５Ｒサイズにあわせた時のピニオンギア４０３の回転回数に対応した抵抗値が記憶されており、制御部４は、この予め記憶している抵抗値と、ポテンショメータ４０８の抵抗値とから、原稿ガイド２７，２８が原稿のサイズに応じた規制位置に移動するようピニオンギア４０３（モータ３１）の回転回数を算出するようにしている。
【００５２】
例えば、原稿ガイド２７，２８が、図３に示すようにＡ３サイズの原稿を規制する位置にある状態で、Ｂ５サイズの原稿を自動原稿給送装置２０にセットする場合、定型サイズ選択スイッチ３０３のうちＢ５／Ｂ４スイッチ３０３ｂに触れると、原稿ガイド２７，２８はモータ３１の逆転により近接方向に移動する。
【００５３】
そして、このようにモータ３１が回転し、これに伴いポテンショメータ４０８の出力が変化すると、制御部４は、予め記憶されている抵抗値と、このテンショメータ４０８の出力とに応じてモータ３１の回転回数を算出することにより、原稿ガイド２７，２８をＢ５サイズの原稿の側端位置を規制する位置に移動させることができる。
【００５４】
これにより、握力の無い人や、手が震えてしまうハンディキャップを持ったユーザにおいても容易に原稿ガイド２７，２８を移動することができ、原稿Ｇをセットすることができる。
【００５５】
次に、本発明の第３の実施の形態について説明する。
【００５６】
図９は、本実施の形態に係る自動原稿給送装置における原稿ガイドの構成を示す図である。なお、同図において、図４と同一符号は同一又は相当部分を示している。
【００５７】
同図において、４０９は原稿台上に配置された原稿ガイド移動スイッチであり、この原稿ガイド移動スイッチを押下操作することにより、原稿ガイド２７，２８を離間方向、或いは近接方向に移動させることができる。
【００５８】
ここで、このように原稿ガイド２７，２８の移動方向を指定する指定手段である原稿ガイド移動スイッチ４０９が押されると、原稿ガイド２７，２８はモータ３１により、最小幅、Ｂ５Ｒ、Ａ４Ｒ／Ａ５、Ｂ５／Ｂ４、Ａ４／Ａ３、最大幅のいずれかの位置になるまで移動し、その位置で停止するようになっている。
【００５９】
なお、本実施の形態において、例えば図９に示すようにＡ４／Ａ３位置に原稿ガイド２７，２８がある場合、移動スイッチ４０９の↑キー４０９ａが短く押下されると、原稿ガイド２７，２８は、Ａ４／Ａ３サイズより１つサイズの小さいＢ５／Ｂ４サイズのシートの側端を規制するＢ５／Ｂ４位置まで移動して停止するようになっている。また、原稿ガイド移動スイッチ４０９が一定時間以上長く押されると、原稿ガイド２７は駆動モータ３１によって駆動され、最大幅、または最小幅のいずれかの位置になるまで移動するようになっている。
【００６０】
また、本実施の形態において、原稿ガイド２７，２８の当接部２７ｂ，２８ｂには、図１０に示すように原稿規制板４１０がバネ４１１を介して取り付けられている。さらに、当接部２７ｂ，２８ｂには、一定の負荷がかかるとＯＮするスイッチ４１２が設けられており、原稿規制板４１０が原稿に当接した後、原稿より負荷を受け、バネ４１１に抗して当接部側に移動すると、原稿規制板４１０によりスイッチ４１２がＯＮするように構成されている。
【００６１】
次に、このように構成された本実施の形態の自動原稿給送装置２０における定型サイズ以外の原稿の幅方向位置規制動作について説明する。なお、本実施の形態では既述した第２の実施の形態と同様に、予め原稿ガイド２７，２８をＡ３サイズにあわせた時の抵抗値と、Ｂ５Ｒサイズにあわせた時の抵抗値を記憶してあり、ポテンショメータ４０８の抵抗値に基づいて定型サイズの原稿の位置制御を行うようにしている。
【００６２】
定型サイズ以外の原稿の幅方向位置規制を行う場合は、定型サイズ以外の原稿をまず原稿台２６の概略中央に積載する、次に原稿ガイド移動スイッチ４０９の↑キー４０９ａを短く、或いは長く押下する。これにより、それまでＡ４／Ａ３位置にあった原稿ガイド２７，２８は近接方向に移動する。
【００６３】
そして、このように原稿ガイド２７，２８が移動すると、２つの原稿ガイド２７，２８のうちの一方の原稿ガイドの原稿規制板４１０が原稿Ｇに当接し、この後、原稿検知スイッチ４１２がＯＮとなる。なお、このとき他方の原稿ガイドの原稿規制板４１０は、まだ原稿Ｇに当接していないので、この他方の原稿ガイド側の原稿検知スイッチ４１２はＯＦＦのままである。
【００６４】
ここで、このように原稿ガイド２７，２８が近接方向に移動中は常に原稿検知スイッチ４１２は制御部４によりモニタされており、制御部４は両方の原稿検知スイッチ４１２がＯＮにならなければ、原稿ガイド２７，２８は移動を続けるようモータ３１を駆動する。
【００６５】
そして、このように原稿ガイド２７，２８が移動を続けると、原稿台２６上の原稿は原稿規制板４１０に押されて中央方向に移動し、やがてこのように移動した原稿に、もう一方の原稿規制板４１０が当たり、原稿検知スイッチ４０９がＯＮとなる。ここで、このように両方の原稿検知スイッチ４０９がＯＮになったことを検知すると、制御部４は、この時点でモータ３１を停止させる。これにより、その位置で原稿ガイド２７，２８は停止し、その位置を保持する。このようにして、原稿が自動的に整列されることになる。
【００６６】
その後、スタートキーが押下されると、原稿Ｇの読み取りが開始される。また、この後、原稿画像読取動作が終了すると、次の原稿Ｇのセットが可能となるよう原稿ガイド２７，２８は最大幅位置に移動するよう制御される。
【００６７】
なお、これまでは画像読取装置に本発明のシート給送装置の一例である原稿給送装置を用いたものについて述べてきたが、本発明はこれに限らず、画像形成部を備えた画像形成装置において画像形成部にシートを給送するシート給送装置として、本発明のシート給送装置を用いるようにしても良い。
【００６８】
また、これまでは制御部４を自動原稿給送装置２０に設けた場合について述べてきたが、本発明はこれに限らず、制御部４を画像読取装置２に設けても良い。
【図面の簡単な説明】
【００６９】
【図１】本発明の第１の実施の形態に係るシート給送装置の一例である自動原稿給送装置（ＡＤＦ）を備えたＭＦＰ（マルチ・ファンクション・プリンタ）の概略を示す図。
【図２】上記ＭＦＰに設けられた画像読取部の概略構成を示す図。
【図３】上記自動原稿給送装置の上面図。
【図４】上記に設けられた原稿ガイドの構成を説明する図。
【図５】上記自動原稿給送装置に設けられた操作パネルの表示例を示す図。
【図６】上記自動原稿給送装置に設けられた操作パネルの他の表示例を示す図。
【図７】上記自動原稿給送装置の原稿載置台に原稿を載置した状態を示す上面図。
【図８】本発明の第２の実施の形態に係る自動原稿給送装置における原稿ガイドの構成を示す図。
【図９】本発明の第３の実施の形態に係る自動原稿給送装置の上面図。
【図１０】上記自動原稿給送装置に設けられた原稿ガイドの構成を説明する図。
【図１１】従来の自動原稿給送装置に設けられた原稿ガイドの構成を説明する図。
【符号の説明】
【００７０】
１          ＭＦＰ（マルチ・ファンクション・プリンタ）
１Ａ        ＭＦＰ本体
１Ｂ        画像形成部（画像形成装置）
２          画像読取装置
３          操作パネル
４          制御部
２０        自動原稿給送装置（ＡＤＦ）
２６        原稿載置台
２７，２８  原稿ガイド
３１        モータ
４０５      フラグ
４０６      第１透過センサ
４０７      第２透過センサ
３０３      定型サイズ選択スイッチ
４０８      ポテンショメータ
４０９      原稿ガイド移動スイッチ
４１０      原稿規制板
４１２      スイッチ
Ｇ          原稿
【図１】
2005170609.tif 000003
【図２】
2005170609.tif 000004
【図３】
2005170609.tif 000005
【図４】
2005170609.tif 000006
【図５】
2005170609.tif 000007
【図６】
2005170609.tif 000008
【図７】
2005170609.tif 000009
【図８】
2005170609.tif 000010
【図９】
2005170609.tif 000011
【図１０】
2005170609.tif 000012
【図１１】
2005170609.tif 000013